(57)【特許請求の範囲】
【請求項１】
ハウジングに組み付けられるゴム栓の抜け止めを行うゴム栓押さえの取付構造であって、
前記ハウジングは、前記ゴム栓が収容されるゴム栓収容部を有し、
前記ゴム栓押さえは、一方の端部もしくは他方の端部のいずれの端部からも前記ゴム栓収容部内に嵌合可能に設けられ、前記ハウジングから引き出される電線が前記一方の端部と前記他方の端部と間に亘って挿通された状態で前記ゴム栓収容部内において前記ゴム栓を係止して抜け止めする本体部と、
前記本体部における一方の端部に設けられ、前記ゴム栓収容部内に前記本体部が一方の端部から嵌合された際に、前記ゴム栓収容部内に設けられた被係止部と係止することで前記本体部を前記ゴム栓収容部内に抜け止めし、前記ゴム栓収容部内に前記本体部が他方の端部から嵌合された際に、前記ゴム栓収容部の開口縁から嵌合方向に凹んで設けられた逃がし凹部に収容されることで前記ゴム栓収容部への前記本体部の嵌合を許容する一方側の係止突起と、
前記本体部における他方の端部に設けられ、前記ゴム栓収容部内に前記本体部が一方の端部から嵌合された際に、前記逃がし凹部に収容されることで前記ゴム栓収容部内への前記本体部の嵌合を許容し、前記ゴム栓収容部内に前記本体部が他方の端部から嵌合された際に、前記被係止部と係止することで前記本体部を前記ゴム栓収容部内に抜け止めする他方側の係止突起とを備えるゴム栓押さえの取付構造。
【請求項２】
前記被係止部は、前記ゴム栓収容部の内壁に凹設されており、
前記一方側および前記他方側の係止突起は、前記ハウジングにおける前記ゴム栓収容部の開口縁に乗り上げ、前記本体部が正規の嵌合位置に至ると、前記被係止部内に嵌まり込んで前記被係止部と係止するようになっており、
前記逃がし凹部に対して前記一方側の係止突起もしくは前記他方側の係止突起のいずれか一方の係止突起を位置合わせすることで、他方の係止突起が前記被係止部に対して位置決めされる請求項１に記載のゴム栓押さえの取付構造。
【請求項３】
前記ゴム栓収容部は円形に開口して設けられ、前記本体部の外形は円形に形成され、前記電線は、前記本体部の軸心と同軸となるように挿通されており、
前記一方側の係止突起は、前記本体部の軸心を境に一対設けられ、
前記他方側の係止突起は、前記本体部を嵌合方向から視た際に、前記一方側の係止突起との周方向の距離がそれぞれ同一となるように一対設けられている請求項１または請求項２に記載のゴム栓押さえの取付構造。
【請求項４】
前記一方側の係止突起と前記他方側の係止突起とは、前記本体部を嵌合方向から視た際に、周方向に等間隔に交互に並んで配されている請求項３に記載のゴム栓押さえの取付構造。
【発明の詳細な説明】
【技術分野】
【０００１】
本明細書によって開示される技術は、ゴム栓を抜け止めするゴム栓押さえの取付構造に関する。
【背景技術】
【０００２】
例えば、ハウジング内に挿入されるゴム栓の抜け止めを行うゴム栓押さえの取付構造として、特開２０１４−８６１５２号公報（下記特許文献１）に記載のものが知られている。このゴム栓押さえは、ハウジングに円形に開口して設けられたキャビティ内に後方から嵌合可能な略円形の板状に形成されており、円形のゴム栓押さえの軸心には、電線が挿通される電線挿通孔が設けられている。
【０００３】
ゴム栓押さえの外周面における嵌合方向の前端部には、キャビティに設けられた係止孔に嵌まり込むことで、ゴム栓押さえをキャビティ内に保持する保持突起が設けられており、保持突起の前面は後方に向かうほど外方に傾斜する傾斜面とされ、保持突起の後面は、嵌合方向と直交する係止面とされている。保持突起は、係止孔に嵌まり込む際に、傾斜面によって案内されてキャビティの開口縁に乗り上げ、係止孔に嵌まり込むと係止面と係止孔の内周面とが嵌合方向に係止することで、ゴム栓押さえの抜け止めが図られるようになっている。
【先行技術文献】
【特許文献】
【０００４】
【特許文献１】特開２０１４−８６１５２号公報
【発明の概要】
【発明が解決しようとする課題】
【０００５】
ところで、上記のゴム栓押さえは、キャビティ内に嵌合させる前に、電線に先通しし、電線の端末に端子を接続して端子をキャビティ内に収容した後、嵌合される。ここで、仮にゴム栓押さえが前後反転した状態で電線に先通しされていると、ゴム栓押さえをキャビティ内に嵌合させる際に、保持突起の係止面とキャビティの開口縁とが係合し、ゴム栓押さえをキャビティ内に嵌合させることができなくなってしまう。したがって、ゴム栓押さえが正規な状態で組み付けられている電線に交換する作業が発生するなど、生産効率が低下してしまう。
【０００６】
本明細書では、組み付け方向を意識することなくゴム栓押さえをハウジングに組み付ける技術を開示する。
【課題を解決するための手段】
【０００７】
本明細書によって開示される技術は、ハウジングに組み付けられるゴム栓の抜け止めを行うゴム栓押さえの取付構造であって、前記ハウジングは、前記ゴム栓が収容されるゴム栓収容部を有し、前記ゴム栓押さえは、一方の端部もしくは他方の端部のいずれの端部からも前記ゴム栓収容部内に嵌合可能に設けられ、前記ハウジングから引き出される電線が前記一方の端部と前記他方の端部と間に亘って挿通された状態で前記ゴム栓収容部内において前記ゴム栓を係止して抜け止めする本体部と、前記本体部における一方の端部に設けられ、前記ゴム栓収容部内に前記本体部が一方の端部から嵌合された際に、前記ゴム栓収容部内に設けられた被係止部と係止することで前記本体部を前記ゴム栓収容部内に抜け止めし、前記ゴム栓収容部内に前記本体部が他方の端部から嵌合された際に、前記ゴム栓収容部の開口縁から嵌合方向に凹んで設けられた逃がし凹部に収容されることで前記ゴム栓収容部への前記本体部の嵌合を許容する一方側の係止突起と、前記本体部における他方の端部に設けられ、前記ゴム栓収容部内に前記本体部が一方の端部から嵌合された際に、前記逃がし凹部に収容されることで前記ゴム栓収容部内への前記本体部の嵌合を許容し、前記ゴム栓収容部内に前記本体部が他方の端部から嵌合された際に、前記被係止部と係止することで前記本体部を前記ゴム栓収容部内に抜け止めする他方側の係止突起とを備える構成とした。
【０００８】
このような構成のゴム栓押さえによると、ゴム栓収容部に対して一方の端部もしくは他方の端部のいずれの端部から本体部を嵌合させる場合においても、一方側もしくは他方側のうちのいずれか一方の係止突起を被係止部に係止させると共に、他方の係止突起をハウジングと干渉させることなく逃がし凹部に嵌合させることができるから、本体部を嵌合させる方向を意識せずに、本体部に電線を先通しして、ゴム栓押さえをハウジングに組み付けることができる。
【０００９】
すなわち、本体部を嵌合させる方向を確認しつつ、ゴム栓押さえを電線に先通しする場合に比べて、ゴム栓押さえをハウジングに組み付ける作業効率を向上させることができる。また、ゴム栓押さえの取り付け方向に起因した電線の交換も発生しないから、非常に有効である。
【００１０】
本明細書によって開示されるゴム栓押さえは、以下の構成としてもよい。
前記被係止部は、前記ゴム栓収容部の内壁に凹設されており、前記一方側および前記他方側の係止突起は、前記ハウジングにおける前記ゴム栓収容部の開口縁に乗り上げ、前記本体部が正規の嵌合位置に至ると、前記被係止部内に嵌まり込んで前記被係止部と係止するようになっており、前記逃がし凹部に対して前記一方側の係止突起もしくは前記他方側の係止突起のいずれか一方の係止突起を位置合わせすることで、他方の係止突起が前記被係止部に対して位置決めされる構成にしてもよい。
【００１１】
被係止部が、ゴム栓収容部の内壁に凹設されている場合、ゴム栓収容部を嵌合方向から視ると、被係止部の位置を確認することができないという嫌いがあるけれども、このような構成によると、一方側もしくは他方側の係止突起のいずれか一方の係止突起を逃がし凹部に対して位置合わせすることで、他方の係止突起を係止孔に対して容易に位置決めすることができる。これにより、ゴム栓押さえをハウジングに組み付ける作業効率をさらに向上させることができる。
【００１２】
前記ゴム栓収容部は円形に開口して設けられ、前記本体部の外形は円形に形成され、前記電線は、前記本体部の軸心と同軸となるように挿通されており、前記一方側の係止突起は、前記本体部の軸心を境に一対設けられ、前記他方側の係止突起は、前記本体部を嵌合方向から視た際に、前記一方側の係止突起との周方向の距離がそれぞれ同一となるように一対設けられている構成としてもよい。
【００１３】
このような構成によると、ゴム栓押さえをハウジングに嵌合させる際に、電線を中心に本体部を周方向に回転させることで、一方側もしくは他方側のうちの一方の係止突起を被係止部に係止させることができると共に、他方の係止突起を逃がし凹部に対して収容させることができる。
【００１４】
前記一方側の係止突起と前記他方側の係止突起とは、前記本体部を嵌合方向から視た際に、周方向に等間隔に交互に並んで配されている構成としてもよい。
【発明の効果】
【００１５】
本明細書によって開示される技術によれば、組み付け方向を意識することなくゴム栓押さえをハウジングに組み付けることができる。
【図面の簡単な説明】
【００１６】
【図１】ゴム栓押さえの斜視図
【図２】同正面図
【図３】同平面図
【図４】同側面図
【図５】ハウジングにゴム栓押さえを組み付けた状態を示す斜視図
【図６】同平面図
【図７】同側面図
【図８】同背面図
【図９】図７のＡ−Ａ線断面図
【図１０】図８のＢ−Ｂ線断面図
【発明を実施するための形態】
【００１７】
＜実施形態＞
実施形態について図１から図１０を参照して説明する。
本実施形態は、コネクタ２０のハウジング２１に組み付けられるゴム栓３０を抜け止めするゴム栓押さえ１０の取付構造を例示している。なお、以下の説明において、上下方向とは、図２、図７および図８における上下方向を基準とする。また、前後方向とは図３および図６における左右方向を基準とし、図示左方を前方、図示右方を後方として説明する。
【００１８】
ハウジング２１は、合成樹脂製であって、図５、図６および図８に示すように、ハウジング２１の後部には、一対の電線Ｗを後方に個別に引き出す一対の電線引出部２２が幅方向に並んで形成されている。
【００１９】
各電線引出部２２は、略円筒状をなしており、図９および図１０に示すように、電線引出部２２内には前後方向に貫通するキャビティ２３がそれぞれ設けられている。キャビティ２３の後端部は、ゴム栓３０およびゴム栓押さえ１０が後方から収容されるゴム栓収容部２４とされており、ゴム栓収容部２４は、ゴム栓収容部２４よりも前方のキャビティ２３に比べてやや拡径された形態をなしている。
また、ゴム栓収容部２４は、図８に示すように、後方に向けて真円形に開口しており、ゴム栓収容部２４の内側開口縁には、ゴム栓３０およびゴム栓押さえ１０をゴム栓収容部２４内に案内する案内面２４Ａが形成されている。案内面２４Ａは、図９および図１０に示すように、前方に向かうほど軸心方向傾斜した面とされており、ゴム栓収容部２４の内側開口縁に全周に亘って形成されている。
【００２０】
また、ゴム栓収容部２４の後端部における上下方向両端部の内壁には、図５から図７および図１０に示すように、一対の係止孔２５がそれぞれ凹設されている。各係止孔２５はゴム栓収容部２４を内外に貫通して形成されており、前後および幅方向の両側に４つの内面を有する略矩形状に形成されている。
【００２１】
ゴム栓３０は、シリコンゴム製で、図９および図１０に示すように、電線Ｗが前後方向に挿通可能な挿通孔３１を有する厚肉の環状に形成されている。ゴム栓３０の外周面および挿通孔３１の内周面には、複数条のリップ３２が周設されている。各リップ３２は、挿通孔３１に電線Ｗを挿通した状態でゴム栓３０がゴム栓収容部２４内に収容されると、挿通孔３１のリップ３２が電線Ｗの外周面に全周に亘って密着すると共に、ゴム栓３０の外周面におけるリップ３２がゴム栓収容部２４の内周面２４Ｂに密着することで、ゴム栓収容部２４と電線Ｗの間が止水されるようになっている。
【００２２】
また、ゴム栓３０は、ゴム栓収容部２４内に収容されると、図９および図１０に示すように、ゴム栓収容部２４の前方に設けられた前止まり部２６によって前止まりされるようになっており、前止まりされたゴム栓３０は、ゴム栓収容部２４内における前端位置から前後方向略中央部よりもやや後方の位置までの範囲に収容されるようになっている。
【００２３】
ゴム栓押さえ１０は、図１および図２に示すように、電線Ｗが前後方向に挿通可能な電線挿通孔１１を有する環状の本体部１２を備えている。本体部１２は、図９および図１０に示すように、ゴム栓３０よりもやや薄肉の板状に形成されている。本体部１２の外周形状は、図１から図４に示すように、前端から後端まで同一の真円形状とされており、本体部１２の前端外周縁部および後端外周縁部には、軸心方向に傾斜するテーパ面１３が全周に亘って形成されている。
【００２４】
また、本体部１２は、図５から図１０に示すように、ゴム栓収容部２４内に適合して嵌合される大きさとされており、本体部１２がゴム栓収容部２４内に適合して嵌合されると、本体部１２の外周面１２Ａがゴム栓収容部２４の内周面２４Ｂと全周に亘って径方向に対向するようになっている。
【００２５】
また、本体部１２は、ゴム栓収容部２４内の正規の位置まで嵌合されると、図９および図１０に示すように、ゴム栓収容部２４内に完全に収容されると共に、本体部１２の前面１２Ｂがゴム栓３０の後面３０Ａを後方から係止し、ゴム栓押さえ１０がゴム栓３０の後方への抜け止めを図るようになっている。
【００２６】
また、本体部１２の外周面１２Ａにおける上下方向両端部には、図６、図７および図１０に示すように、ゴム栓収容部２４の一対の係止孔２５にそれぞれ嵌まり込むことで、本体部１２をゴム栓収容部２４内に保持する一対の前側係止突起１４が突設されている。言い換えると、一対の前側係止突起１４は、本体部１２の外周面１２Ａにおいて、本体部１２の軸心を境に一対設けられている。
【００２７】
一対の前側係止突起１４は、本体部１２の外周面１２Ａから外方に向けて突出したブロック状をなしており、本体部１２の外周面１２Ａにおける前後方向略中央部よりも前側の端部に設けられている。
【００２８】
前側係止突起１４における前面は、本体部１２における外周面１２Ａの前縁から後方に向かうほど外方に向けて傾斜する前側傾斜面１４Ａとされており、前側傾斜面１４Ａは、本体部１２の前端外周縁部におけるテーパ面１３の傾斜角度と同一の角度に設定されることで、テーパ面１３と面一状に連続する形態とされている。また、前側係止突起１４の後面は、本体部１２の嵌合方向と直交する前側係止面１４Ｂとされており、本体部１２の外周面１２Ａにおける前後方向略中央部に配されている。
【００２９】
各前側係止突起１４は、本体部１２をゴム栓収容部２４内に嵌合させる過程において、前側傾斜面１４Ａがゴム栓収容部２４の後端開口に乗り上げることでゴム栓収容部２４内に進入し、本体部１２が正規の嵌合位置に至ると、対応するそれぞれの係止孔２５に嵌まり込む。そして、係止孔２５内に嵌まり込んだ前側係止突起１４の前側係止面１４Ｂと係止孔２５の後側内面（「被係止部」の一例）２５Ａとが前後方向に係止することで、本体部１２がゴム栓収容部２４内に保持固定されるようになっている。
【００３０】
さて、ゴム栓押さえ１０の本体部１２における幅方向両端部には、上下方向両端部に設けられた前側係止突起１４を前後に反転させた形態の後側係止突起１５がそれぞれ設けられている。
【００３１】
詳細には、後側係止突起１５は、本体部１２の外周面１２Ａから外方に向けて突出したブロック状をなしており、本体部１２の外周面１２Ａにおける前後方向略中央部よりも後側の端部であって、一対の前側係止突起１４から周方向に９０°ずれた位置に設けられている。言い換えると、前側係止突起１４と後側係止突起１５とは、本体部１２を前後方向から視た際に、同じ距離間隔となるように、周方向に９０°間隔で交互に並んで配されている。
【００３２】
後側係止突起１５における前面は、本体部１２の嵌合方向と直交する後側係止面１５Ａとされており、本体部１２の外周面１２Ａにおける前後方向略中央部に配されている。また、後側係止突起１５の後面は、本体部１２における外周面１２Ａの後縁から前方に向かうほど外方に向けて傾斜する後側傾斜面１５Ｂとされており、後側傾斜面１５Ｂは、本体部１２の後端外周縁部におけるテーパ面１３の傾斜角度と同一の角度に設定されることで、テーパ面１３と面一状に連続する形態とされている。
【００３３】
つまり、ゴム栓押さえ１０は、本体部１２を前後に反転させて周方向に９０°回転させると、その前後の状態が全く同じになるように形成されている。
【００３４】
一方、ゴム栓収容部２４の後端部における左右方向両端部には、一対の後側係止突起１５を収容する一対の逃がし凹部２７がそれぞれ設けられている。
【００３５】
逃がし凹部２７は、ゴム栓収容部２４を内外に貫通するようにしてゴム栓収容部２４の後端縁から前方に向けて略矩形状に凹んで形成されている。逃がし凹部２７内には、ゴム栓押さえ１０の本体部１２をゴム栓収容部２４内に嵌合させる際に、後側係止突起１５が後方から嵌合して収容されるようになっており、後側係止突起１５が逃がし凹部２７内に嵌合収容することで、本体部１２のゴム栓収容部２４内への嵌合が許容されるようになっている。
【００３６】
本実施形態は、以上のような構成であって、続いて、ハウジング２１の電線引出部２２におけるゴム栓収容部２４にゴム栓３０およびゴム栓押さえ１０を組み付ける手順を説明すると共に、その作用および効果について説明する。
【００３７】
まず、ゴム栓押さえ１０およびゴム栓３０に電線Ｗを先通ししておき、電線引出部２２のキャビティ２３内に電線Ｗが挿通された後、ゴム栓３０を後方からゴム栓収容部２４内に挿入する。
【００３８】
電線Ｗが挿通されたゴム栓３０がゴム栓収容部２４内に収容されると、ゴム栓３０の各リップ３２が電線Ｗの外周面およびゴム栓収容部２４の内周面２４Ｂに全周に亘って密着することで、ゴム栓収容部２４と電線Ｗの間が止水される。
【００３９】
次に、ゴム栓押さえ１０をゴム栓収容部２４内に組み付ける。
このゴム栓押さえ１０の組み付け行程では、前側係止突起１４をゴム栓収容部２４の係止孔２５に嵌合させるため、ゴム栓押さえ１０の本体部１２を周方向に位置決めする必要があるところ、一対の逃がし凹部２７に対して一対の後側係止突起１５を位置合わせすることで、ゴム栓収容部２４に対する本体部１２の周方向の位置を容易に位置決めすることができる。
【００４０】
ゴム栓収容部２４に対する本体部１２の位置決めができたところで、ゴム栓収容部２４内に本体部１２を嵌合させる。
この嵌合過程では、まず、一対の前側係止突起１４の前側傾斜面１４Ａがゴム栓収容部２４の後端開口縁に乗り上げ、一対の前側係止突起１４が本体部１２と共にゴム栓収容部２４内に進入する。そして、ゴム栓収容部２４内に本体部１２の前半分が嵌合したところで、後側係止突起１５を逃がし凹部２７内に進入し始める。後側係止突起１５が逃がし凹部２７内に進入し始めると、後側係止突起１５が逃がし凹部２７の幅方向両側の内面に当接することで、本体部１２の周方向への回転が規制され、係止孔２５に対して前側係止突起１４を容易かつ確実に嵌め込むことができる。
【００４１】
そして、ゴム栓収容部２４に対して本体部１２が正規の嵌合位置に至ると、前側係止突起１４が係止孔２５に嵌まり込むと共に、後側係止突起１５がゴム栓収容部２４の後端開口縁に干渉することなく、逃がし凹部２７内に完全に収容される。また、前側係止突起１４が係止孔２５に嵌まり込むと、前側係止突起１４の前側係止面１４Ｂと係止孔２５の後側内面２５Ａとが前後方向に係止することで、本体部１２がゴム栓収容部２４内に保持固定される。
これにより、ゴム栓押さえ１０によってゴム栓３０の後方への抜け止めが図られ、ゴム栓収容部２４に対するゴム栓３０およびゴム栓押さえ１０の組み付けが完了する。
【００４２】
ところで、例えば、本体部が前端から後端まで同一の真円形状に形成され、本体部に前側係止突起のみが形成されているゴム栓押さえの場合、電線に対してゴム栓押さえが前後逆に先通しされていると、ゴム栓押さえの前側係止突起の係止面がゴム栓収容部の後端開口縁に対して嵌合方向に当接し、ゴム栓押さえの本体部をゴム栓収容部内に嵌合させることができなくなってしまう。このような場合には、電線引出部に挿通された電線を引き抜いてゴム栓およびゴム栓押さえを取り外し、再度、電線及びゴム栓の取り付けを行うか、別途ゴム栓およびゴム栓が先通しされた電線を用意しなければならず、コネクタの生産効率が悪くなってしまう。
【００４３】
ところが、本実施形態によると、電線Ｗに対してゴム栓押さえ１０を先通した後に、ゴム栓押さえ１０が前後に反転した状態で先通しされていることがわかったとしても、本体部１２を周方向に９０°回転させることで、ゴム栓収容部２４の係止孔２５に後側係止突起１５を嵌め込むことができると共に、前側係止突起１４をゴム栓収容部２４の後端開口縁に干渉させることなく、逃がし凹部２７内に完全に収容することができる。
【００４４】
そして、後側係止突起１５が係止孔２５に嵌まり込むと、後側係止突起１５の後側係止面１５Ａと係止孔２５の後側内面２５Ａとが前後方向に係止することで、本体部１２がゴム栓収容部２４内に保持固定される。
これにより、ゴム栓押さえ１０によってゴム栓３０の後方への抜け止めが図られ、ゴム栓収容部２４に対するゴム栓３０およびゴム栓押さえ１０の組み付けを完了させることができる。
【００４５】
つまり、本実施形態によると、ゴム栓収容部２４に対して本体部１２を嵌合させる方向を意識せずに、ゴム栓押さえ１０を電線Ｗに先通しし、ゴム栓押さえ１０をゴム栓収容部２４に組み付けることができるから、ゴム栓押さえ１０の本体部１２を嵌合させる方向を確認しつつ、ゴム栓押さえ１０を電線Ｗに先通しする場合に比べて、ゴム栓押さえ１０をゴム栓収容部２４に組み付ける際の作業効率を向上させることができる。また、ゴム栓押さえ１０の取り付け方向の間違えに起因した電線Ｗの交換なども生じないから、コネクタ２０の生産効率も向上させることができる。
【００４６】
以上のように、本実施形態によると、ゴム栓押さえ１０の本体部１２における後側の幅方向両端部に一対の後側係止突起１５を形成することで、本体部１２を前後に反転させて周方向に９０°回転させると、その前後の状態が全く同じになるようにゴム栓押さえ１０を構成している。また、ゴム栓収容部２４の幅方向両端部に一対の逃がし凹部２７を設けることで、前側係止突起１４が係止孔２５に嵌まり込む際には、後側係止突起１５が逃がし凹部２７に収容され、後側係止突起１５が係止孔２５に嵌まり込む際には、前側係止突起１４が逃がし凹部２７に収容されるようにしたから、ゴム栓収容部２４に対して本体部１２を嵌合させる方向を意識せずに、ゴム栓押さえ１０を電線Ｗに先通して、ゴム栓押さえ１０をゴム栓収容部２４に組み付けることができる。
【００４７】
これにより、ゴム栓押さえ１０をゴム栓収容部２４に組み付ける際の作業効率を向上させることができると共に、ゴム栓押さえ１０の取り付け方向の間違えに起因した電線Ｗの交換なども生じないから、生産効率も向上させることができる。
【００４８】
また、本実施形態によると、電線Ｗに対するゴム栓押さえ１０の組み付け方向が前後に反転した状態だとわかった際に、電線Ｗを軸中心として本体部１２を周方向に回転させるだけで、ゴム栓押さえ１０をゴム栓収容部２４に対して組み付けできるようにすることができる。
【００４９】
さらに、本実施形態によると、前側係止突起１４もしくは後側係止突起１５のうちの一方の係止突起を逃がし凹部２７に対して位置合わせすることで、他方の係止突起を係止孔２５に対して容易に位置決めすることができると共に、一方の係止突起が逃がし凹部２７に進入し始めたところで、本体部１２の径方向の回転が規制されるから、係止孔２５に対して前側係止突起１４を容易かつ確実に嵌め込むことができる。
【００５０】
＜他の実施形態＞
本明細書で開示される技術は上記記述及び図面によって説明した実施形態に限定されるものではなく、例えば次のような種々の態様も含まれる。
（１）上記実施形態では、一対の後側係止突起１５を、一対の前側係止突起１４から周方向に９０°ずらした幅方向両端部に設けることで、本体部１２を前後反転させて周方向に９０°回転させると、その前後の状態が全く同じになるように構成し、これに対応するように逃がし凹部２７をゴム栓収容部２４に設けた構成とした。しかしながら、これに限らず、一対の後側係止突起を、一対の前側係止突起から周方向に４５°ずらした位置に設けることで、本体部を前後反転させて周方向に４５°回転させると、その前後の状態が全く同じになるように構成し、これに対応するように逃がし凹部をゴム栓収容部に設けてもよい。
【００５１】
（２）上記実施形態では、ゴム栓収容部２４を真円形に開口して構成すると共に、ゴム栓押さえ１０の本体部１２を真円形に構成した。しかしながら、これに限らず、ゴム栓収容部を略正方形に開口して構成すると共に、ゴム栓押さえの本体部を略正方形状に構成してもよい。
（３）上記実施形態では、ゴム栓押さえ１０の本体部１２をゴム栓３０よりもやや薄肉の板状に構成した。しかしながら、これに限らず、本体部をゴム栓よりも厚肉の円筒状に構成してもよい。
【符号の説明】
【００５２】
１０：ゴム栓押さえ
１２：本体部
１４：前側係止突起（一方側の係止突起）
１５：後側係止突起（他方側の係止突起）
２１：ハウジング
２３：キャビティ
２４：ゴム栓収容部（キャビティ）
２５Ａ：係止孔の後側内面（被係止部）
２７：逃がし凹部
３０：ゴム栓
Ｗ：電線
【図１】
0006304081.tif 000002
【図２】
0006304081.tif 000003
【図３】
0006304081.tif 000004
【図４】
0006304081.tif 000005
【図５】
0006304081.tif 000006
【図６】
0006304081.tif 000007
【図７】
0006304081.tif 000008
【図８】
0006304081.tif 000009
【図９】
0006304081.tif 000010
【図１０】
0006304081.tif 000011